(57)【要約】      （修正有）【課題】大型の台風や集中豪雨の際に、水が堤防の上を超えて陸地側に侵入する越流現象が起こっても、堤防の法面の最下部及びその周辺で起こる深掘れの進行を遅らせて、堤防が決壊するまでの時間を延ばすようにする護岸用基礎ブロックを提供する。【解決手段】堤防の法面に沿って積み上げる複数の護岸ブロックの下部に設置して護岸ブロックを支持する護岸用基礎ブロック１であって、前面１ａ、後面１ｂ、上面１ｃ、下面１ｄ、左右の側面１ｅ，１ｆを有して全体を左右に長い直方体形状にすると共に、後面１ｂの上側を護岸ブロックが突き当たるブロック受け部１１にし、ブロック受け部１１に凹部１２を設け、凹部１２に護岸ブロックの連結用フックが連結金具を介して連結する連結用フック１３を設ける。【選択図】図４
0003206884.tif 000002
【実用新案登録請求の範囲】
【請求項１】
堤防の法面に沿って積み上げる複数の護岸ブロックの下部に設置して護岸ブロックを支持する護岸用基礎ブロックであって、
前面、後面、上面、下面、左右の側面を有して全体を左右に長い直方体形状にすると共に、
後面の上側を護岸ブロックが突き当たるブロック受け部にし、ブロック受け部に凹部を設け、凹部に護岸ブロックの連結用フックに連結金具を介して連結する連結用フックを有することを特徴とする護岸用基礎ブロック。
【請求項２】
請求項１に記載された護岸用基礎ブロックにおいて、
前面の長手方向の左右の両端に、隣接する護岸用基礎ブロック同士を接続する接続金具を取り付ける金具取付部を有することを特徴とする護岸用基礎ブロック。
【考案の詳細な説明】
【技術分野】
【０００１】
本考案は、堤防の法面に複数の護岸ブロックを積み上げて設置する際に、複数の護岸ブロックの下部に設置して護岸ブロックを支持する護岸用基礎ブロックに関する。
【背景技術】
【０００２】
河川や海岸などに沿って造られ、河川や海の水の陸地側への侵入を防ぐ堤防は、その高さを、河川の場合、洪水時に想定される計画高水位に余裕高を加えたもの以上に、また、海岸の場合、異常潮位の際に想定される計画高潮位に波の影響を考慮した高さを加えたもの以上に、安全を考慮して高めに設定している。このことから、堤防の上を超えて河川や海の水が越流水となって陸地側に侵入するといった越流現象については原則として想定されていない。
【０００３】
図１２は、従来の護岸用基礎ブロックと護岸ブロックの堤防の法面への設置状態を示す説明図、図１３は、従来の護岸用基礎ブロックの説明図であり、図１３Ａは、側面図、図１３Ｂは、後面側の斜視図、図１３Ｃは、前面側の斜視図である。
堤防において、河川側又は海側と陸地側との法面には、その表面を保護して補強するために複数の護岸ブロックを積み上げて設置している。河川に設置する場合、図１２に示すように、河川の水の流れる方向である左右に延びた基礎５３の上に左右方向に複数の護岸用基礎ブロック５１を設置し、複数の護岸用基礎ブロック５１の上に左右方向及び上下方向に複数の護岸ブロック５２を法面に沿って積み上げている。
【０００４】
護岸用基礎ブロック５１は、図１３に示すように、前面５１ａ、後面５１ｂ、上面５１ｃ、下面５１ｄ、左右の側面５１ｅ，５１ｆを有して全体を左右に長い直方体形状にすると共に、後面５１ｂの上側を斜めにカットして護岸ブロック５２が突き当たるブロック受け部５４にする。これにより、護岸用基礎ブロック５１は、法面に沿って積み上げる複数の護岸ブロック５２の下部に設置して護岸ブロック５２を支持するようになる。
【０００５】
また、護岸ブロック５２は、正方形の平板状で、上面に複数の突起を一体的に設けると共に、その四隅に連結用フック５５をそれぞれ有し、隣接する護岸ブロック５２の連結用フック５５同士を連結金具５６を介して連結している。
【０００６】
ところで、地球温暖化に代表される気候の変動により、大型の台風や集中豪雨の際、想定以上の雨量が流れて水位が上昇し、水が堤防の上を超えて越流水となって陸地側に侵入する越流現象が起こっている。
【０００７】
堤防の上を超えた越流水は、堤防の陸地側の法面を勢いよく流下することで、堤防の陸地側の法面に設置する護岸用基礎ブロック５１及び護岸ブロック５２に越流水の水圧が大きな力となって作用する。特に、護岸ブロック５２の下部に設置して法面の最下部に位置する護岸用基礎ブロック５１には越流水の水圧が非常に大きな力となって作用する。このため、越流水の水圧による大きな力に耐え切れなくなると、護岸用基礎ブロック５１及びその周辺が削り取られる深掘れが起こり、法面の崩壊が始まって、堤防の決壊による河川の氾濫が発生し、近隣地域に甚大な被害をもたらすおそれがある。
【考案の概要】
【考案が解決しようとする課題】
【０００８】
本考案は、このような問題を解決するためになされたものであり、その目的は、大型の台風や集中豪雨の際に、水が堤防の上を超えて越流水となって陸地側に侵入する越流現象が起こっても、堤防の法面の最下部に位置する護岸用基礎ブロック及びその周辺で起こる深掘れの進行を遅らせて、堤防が決壊するまでの時間を延ばすようにすることである。
【課題を解決するための手段】
【０００９】
本考案は、堤防の法面に沿って積み上げる複数の護岸ブロックの下部に設置して護岸ブロックを支持する護岸用基礎ブロックであって、前面、後面、上面、下面、左右の側面を有して全体を左右に長い直方体形状にすると共に、後面の上側を護岸ブロックが突き当たるブロック受け部にし、ブロック受け部に凹部を設け、凹部に護岸ブロックの連結用フックに連結金具を介して連結する連結用フックを有する。
【考案の効果】
【００１０】
本考案によれば、堤防の法面に護岸用基礎ブロック及び護岸ブロックを構築する際、護岸用基礎ブロックの連結用フックと、その上の護岸ブロックの連結用フックとを連結金具を介して連結することで、護岸用基礎ブロックと、その上の護岸ブロックとを強固に連結できる。これにより、大型の台風や集中豪雨の際に越流現象が起こって、堤防の法面の最下部に位置する護岸用基礎ブロック及びその周辺に越流水の水圧による大きな力が作用しても、護岸用基礎ブロック及びその周辺で起こる深掘れの進行を遅らせることができ、堤防が決壊するまでの時間を延ばすことができる。
【図面の簡単な説明】
【００１１】
【図１】本考案の護岸用基礎ブロックの堤防の法面への設置状態を示す説明図である。
【図２】本考案の護岸用基礎ブロックの堤防の法面への設置状態を示す斜視図である。
【図３】本考案の護岸用基礎ブロックの説明図である。
【図４】本考案の護岸用基礎ブロックの説明図である。
【図５】護岸ブロックの説明図である。
【図６】護岸用基礎ブロック及び護岸ブロックの設置工程を示す説明図である。
【図７】護岸用基礎ブロック及び護岸ブロックの設置工程を示す説明図である。
【図８】護岸用基礎ブロック及び護岸ブロックの設置工程を示す説明図である。
【図９】連結金具を示す説明図である。
【図１０】連結金具の使用状態を示す説明図である。
【図１１】接続金具の使用状態を示す説明図である。
【図１２】従来の護岸用基礎ブロックと護岸ブロックの堤防の法面への設置状態を示す説明図である。
【図１３】従来の護岸用基礎ブロックの斜視図である。
【考案を実施するための形態】
【００１２】
本考案の護岸用基礎ブロックの一実施形態について、図面を参照して説明する。
図１は、本実施形態の護岸用基礎ブロックの堤防の法面への設置状態を示す説明図、図２は、本実施形態の護岸用基礎ブロックの堤防の法面への設置状態を示す斜視図である。
【００１３】
図１、２に示すように、護岸用基礎ブロック１は、河川や海岸などの堤防における河川側又は海側と陸地側との法面において、その法面に沿って積み上げる複数の護岸ブロック２の下部に設置して護岸ブロック２を支持するものである。本実施形態の護岸用基礎ブロック１及び護岸ブロック２は、河川の堤防の陸地側の法面に設置する。ただし、設置場所は、これに限定されるものではなく、河川の堤防の河川側の法面、さらには海岸の堤防の海側の法面あるいは陸地側の法面に設置してもよい。
【００１４】
護岸用基礎ブロック１は、堤防の法面の最下部において、コンクリートを打設して作られる左右に延びた基礎３の上に左右方向に並べるように設置する。
なお、ここでの左右方向とは、河川の水の流れる方向である。
【００１５】
図３は、本実施形態の護岸用基礎ブロックの説明図であり、図３Ａは、側面図、図３Ｂは、後面図である。図４は、本実施形態の護岸用基礎ブロックの説明図であり、図４Ａは、後面側の斜視図、図４Ｂは、前面側の斜視図である。
護岸用基礎ブロック１は、図３、４に示すように、左右に長い長方形状の前面１ａ、後面１ｂ、上面１ｃ、下面１ｄを有すると共に、左右の側面１ｅ，１ｆを有し、図３Ｂで見て全体を左右に長い直方体形状にする。護岸用基礎ブロック１の大きさは、たとえば、前後の幅を５００ｍｍ、上下の高さを５００ｍｍ、左右の長さを２０００ｍｍにする。ただし、大きさは、これに限定させるものではない。
【００１６】
護岸用基礎ブロック１は、後面１ｂの上側を斜めにカットして護岸ブロック２が突き当たるブロック受け部１１にする。ブロック受け部１１は、その長手方向の左右２ヶ所に凹部１２をそれぞれ設ける。左右の凹部１２は、護岸用基礎ブロック１の左右方向において左右端より１／４の位置と３／４の位置に設ける。また、左右の凹部１２には、護岸ブロック２の連結用フック２３に連結金具４を介して連結する連結用フック１３を有する。連結用フック１３は、鋼製の丸棒材をＵ字形にして凹部に取り付けるものである。
【００１７】
護岸用基礎ブロック１は、前面１ａにおいて、その長手方向の左右の両端に接続金具１６が取り付け可能な凹状の金具取付部１４をそれぞれ有し、金具取付部１４にボルト穴１５を設ける。
なお、護岸用基礎ブロック１の形状については、これに限定されるものではなく、その他の形状のものでもよい。また、前面１ａの左右の両端には金具取付部１４をそれぞれ有しているが、この金具取付部１４はなくてもよい。
【００１８】
図５は、護岸ブロックの説明図であり、図５Ａは、正面図、図５Ｂは、平面図、図５Ｃは、斜視図である。
護岸ブロック２は、堤防の法面において、その最下部に位置する護岸用基礎ブロック１の上に左右方向及び上下方向に複数積み上げて設置する。
【００１９】
護岸ブロック２は、図５に示すように、正方形の上面２ａと下面２ｂを有すると共に、４つの側面２ｃを有して、上面視正方形となるベース２１と、このベース２１の上面２ａに一体的に設ける４つの四角錘台状の突起部２２からなる。護岸ブロック２の大きさは、たとえば、前後の長さを１０００ｍｍ、左右の長さを１０００ｍｍ、突起部２２を含む上下の高さを２５０ｍｍにする。ただし、その形状や大きさは、これに限定させるものではない。
【００２０】
護岸ブロック２は、その四隅を面取りして、そこに連結用フック２３をそれぞれ有する。連結用フック２３は、護岸用基礎ブロック１の連結用フック１３と同様、鋼製の丸棒材をＵ字形にして護岸ブロック２の四隅に取り付けるものである。また、護岸ブロック２の４つの側面２ｃには、その下側の２ヶ所に側面２ｃより突き出る小突起部２４をそれぞれ設ける。これにより、護岸ブロック２を左右方向や上下方向に並べて設置する際、隣接する護岸ブロック２の側面２ｃ全体が当たるのではなく、突き出た小突起部２４のみが当たるようにし、隣接する護岸ブロック２同士が上下左右でずれることなく整然と並んだ状態で設置できるようにしている。
【００２１】
次に、護岸用基礎ブロック１及び護岸ブロック２の堤防の陸地側の法面への構築について説明する。
図６、図７、図８は、護岸用基礎ブロック及び護岸ブロックの設置工程を示す説明図である。
【００２２】
護岸用基礎ブロック１及び護岸ブロック２の構築は、図６に示すように、左右方向に延びた基礎３の上に護岸用基礎ブロック１を左右方向に複数設置する。護岸用基礎ブロック１は、その前面１ａの左右の両端に有する金具取付部１４にボルト１７により接続金具１６を取り付け、隣接する護岸用基礎ブロック１同士を接続金具１６によって接続する。護岸用基礎ブロック１を設置した後、図７に示すように、護岸用基礎ブロック１の上に一段目の護岸ブロック２を左右方向に複数積み上げる。このとき、護岸用基礎ブロック１の連結用フック１３と隣接する一段目の２つの護岸ブロック２の連結用フック２３とを連結金具４を介して連結する。
【００２３】
次に、一段目の護岸ブロック２を積み上げた後、図８に示すように、一段目の護岸ブロック２の上に二段目の護岸ブロック２を左右方向に複数積み上げる。このとき、隣接する一段目の２つの護岸ブロック２の連結用フック２３と隣接する二段目の２つの護岸ブロック２の連結用フック２３とを連結金具４を介して連結する。
【００２４】
護岸ブロック２の積み上げを、堤防の上端である所定の高さまで行うことにより、堤防の陸地側の法面において、護岸用基礎ブロック１及び護岸ブロック２が構築される。しかも、護岸用基礎ブロック１と一段目の護岸ブロック２、一段目の護岸ブロック２より上の護岸ブロック２すべてが連結金具４を介して連結される。
【００２５】
図９は、連結金具を示す説明図であり、図９Ａは、平面図、図９Ｂは、側面図である。図１０は、連結金具の使用状態を示す説明図である。
護岸用基礎ブロック１と護岸ブロック２、あるいは護岸ブロック２同士を連結する連結金具４は、たとえば、図９に示すように、１本の鋼製の丸棒材を上面視Ｕ字形かつ側面視Ｊ字形となるように曲げて、その両端にネジを切った本体４１と、この本体４１の両端にわたって取り付く板状の継ぎ目板４２と、２つのナット４３とからなる。ただし、連結金具４は、これに限定されるものではなく、他のものでもよい。
【００２６】
連結金具４は、護岸用基礎ブロック１と護岸ブロック２を連結する場合、図１０に示すように、その本体４１を、護岸用基礎ブロック１の連結用フック１３と隣接する２つの護岸ブロック２の連結用フック２３とにわたって通し、その後、本体４１の両端に継ぎ目板４２を取り付けてナット４３で締結し、護岸用基礎ブロック１の連結用フック１３と２つの護岸ブロック２の連結用フック２３とを連結して固定している。
【００２７】
図１１は、接続金具の使用状態を示す説明図である。
図１１に示すように、護岸用基礎ブロック１の前面１ａの長手方向の左右の両端に有した金具取付部１４には、接続金具１６を取り付け、接続金具１６は、左右に長い板状で、金具取付部１４に嵌め込んで、ボルト１７によって取り付けられる。これにより、接続金具１６を隣接する護岸用基礎ブロック１の金具取付部１４にわたって取り付けて、隣接する護岸用基礎ブロック１同士を接続する。
【００２８】
本実施形態によれば、護岸用基礎ブロック１のブロック受け部１１に凹部１２を設け、凹部１２に連結用フック１３を有することで、堤防の法面に護岸用基礎ブロック１及び護岸ブロック２を構築する際、護岸用基礎ブロック１の連結用フック１３と、その上の護岸ブロック２の連結用フック２３とを連結金具４を介して連結することができる。これにより、護岸用基礎ブロック１と、その上の護岸ブロック２とを強固に連結でき、大型の台風や集中豪雨の際に越流現象が起こって、護岸用基礎ブロック１及びその周辺に越流水の水圧による大きな力が作用しても、ここで起こる深掘れの進行を遅らせることができ、堤防が決壊するまでの時間を延ばすことができる。
【００２９】
また、隣接する護岸用基礎ブロック１にあっては、接続金具１６を隣接する護岸用基礎ブロック１の金具取付部１４にわたって取り付けることで、隣接する護岸用基礎ブロック１同士を強固に接続させることができ、これによって、護岸用基礎ブロック１及びその周辺を堅固にすることができる。
【符号の説明】
【００３０】
１…護岸用基礎ブロック、１ａ…前面、１ｂ…後面、１ｃ…上面、１ｄ…下面、１ｅ…側面、１ｆ…側面、２…護岸ブロック、２ａ…上面、２ｂ…下面、２ｃ…側面、３…基礎、４…連結金具、１１…ブロック受け部、１２…凹部、１３…連結用フック、１４…金具取付部、１５…ボルト穴、１６…接続金具、１７…ボルト、２１…ベース、２２…突起部、２３…連結用フック、２４…小突起部、４１…本体、４２…継ぎ目板、４３…ナット、５１…護岸用基礎ブロック、５１ａ…前面、５１ｂ…後面、５１ｃ…上面、５１ｄ…下面、５１ｅ…側面、５１ｆ…側面、５２…護岸ブロック、５３…基礎、５４…ブロック受け部、５５…連結用フック、５６…連結金具。
【図１】
0003206884.tif 000003
【図２】
0003206884.tif 000004
【図３】
0003206884.tif 000005
【図４】
0003206884.tif 000006
【図５】
0003206884.tif 000007
【図６】
0003206884.tif 000008
【図７】
0003206884.tif 000009
【図８】
0003206884.tif 000010
【図９】
0003206884.tif 000011
【図１０】
0003206884.tif 000012
【図１１】
0003206884.tif 000013
【図１２】
0003206884.tif 000014
【図１３】
0003206884.tif 000015